【手続補正書】
【提出日】平成29年6月12日(2017.6.12)
【手続補正１】
【補正対象書類名】特許請求の範囲
【補正対象項目名】全文
【補正方法】変更
【補正の内容】
【特許請求の範囲】
【請求項１】
ユーザ機器(UE)によるワイヤレス通信の方法であって、
前のシステム情報を含む第1の警報メッセージを受信するステップであって、前記前のシステム情報は第1のシリアルナンバを含む、ステップと、
前記第1の警報メッセージを受信した後にシステム情報を含む第2の警報メッセージを受信するステップであって、前記第2の警報メッセージは第2のシリアルナンバと第2のメッセージ識別子(MID)を含み、前記第2のシリアルナンバは、前記第2の警報メッセージが前記第1の警報メッセージに関連付けられることを示す、ステップと、
前記第2のシリアルナンバに基づいて、前記第2の警報メッセージが前記第1の警報メッセージに関連付けられることを判定するステップと、
前記第2のMIDが、所定のセットのMID内にないと判定するステップと、
アプリケーションを使用可能にするとともに、前記第2の警報メッセージが前記第1の警報メッセージに関連付けられ、かつ前記第2のMIDが前記所定のセットのMID内にないと判定するステップに基づいて、追加情報を前記アプリケーションに提供するステップと
を含む、方法。
【請求項２】
前記追加情報はロケーション情報を含み、前記方法は、
前記ロケーション情報に関連付けられたマップ関連情報を表示するステップ
をさらに含む、請求項1に記載の方法。
【請求項３】
前記前のシステム情報は警報メッセージコンテンツを含み、前記ロケーション情報は前記警報メッセージコンテンツに関連付けられる、請求項2に記載の方法。
【請求項４】
前記MIDが前記所定のセットのMID内にないと判定するステップに基づいて、前記マップ関連情報を表示することを決定するステップ
をさらに含む、請求項2に記載の方法。
【請求項５】
前記マップ関連情報を表示するステップは、前記前のシステム情報が受信され、かつ、前記ロケーション情報が前記前のシステム情報に関連付けられるとき表示するステップを含む、請求項2に記載の方法。
【請求項６】
前記ロケーション情報は警報に関連付けられた地理的エリアを示す、請求項2に記載の方法。
【請求項７】
前記マップ関連情報は、前記システム情報内の前記ロケーション情報に関連付けられた地理的エリアを示す、請求項2に記載の方法。
【請求項８】
前記マップ関連情報は、前記UEの地理的ロケーションを示す、請求項2に記載の方法。
【請求項９】
前記前のシステム情報は、所定のセットのMID内の第1のMIDを含む、請求項1に記載の方法。
【請求項１０】
前記第1のMIDおよび前記第2のMIDは、警報メッセージソースおよび警報メッセージタイプをそれぞれ識別する、請求項9に記載の方法。
【請求項１１】
前記所定のセットのMIDは、第1のMIDの値から、前記第1のMIDの値よりも大きな第2のMIDの値までのMIDの範囲に対応する、請求項9に記載の方法。
【請求項１２】
前記第2のシリアルナンバは、前記第1のシリアルナンバ以上である、請求項1に記載の方法。
【請求項１３】
前記システム情報は、システム情報ブロック(SIB)12内で受信される、請求項1に記載の方法。
【請求項１４】
前記システム情報は、物理ダウンリンク共有チャネル(PDSCH)を介して受信される、請求項1に記載の方法。
【請求項１５】
ワイヤレス通信のための装置であって、
前のシステム情報を含む第1の警報メッセージを受信するための手段であって、前記前のシステム情報は第1のシリアルナンバを含む、手段と、
前記第1の警報メッセージを受信した後にシステム情報を含む第2の警報メッセージを受信するための手段であって、前記第2の警報メッセージは第2のシリアルナンバと第2のメッセージ識別子(MID)を含み、前記第2のシリアルナンバは、前記第2の警報メッセージが前記第1の警報メッセージに関連付けられることを示す、手段と、
前記第2のシリアルナンバに基づいて、前記第2の警報メッセージが前記第1の警報メッセージに関連付けられることを判定するための手段と、
前記第2のMIDが、所定のセットのMID内にないと判定するための手段と、
アプリケーションを使用可能にするとともに、前記第2の警報メッセージが前記第1の警報メッセージに関連付けられ、かつ前記第2のMIDが前記所定のセットのMID内にないと判定することに基づいて、追加情報を前記アプリケーションに提供するための手段と
を含む、装置。
【請求項１６】
前記追加情報はロケーション情報を含み、前記装置は、
前記ロケーション情報に関連付けられたマップ関連情報を表示するための手段
をさらに含む、請求項15に記載の装置。
【請求項１７】
前記前のシステム情報は警報メッセージコンテンツを含み、前記ロケーション情報は前記警報メッセージコンテンツに関連付けられる、請求項16に記載の装置。
【請求項１８】
前記MIDが前記所定のセットのMID内にないと判定することに基づいて、前記マップ関連情報を表示することを決定するための手段
をさらに含む、請求項16に記載の装置。
【請求項１９】
前記マップ関連情報を表示するための手段は、前記前のシステム情報が受信され、かつ、前記ロケーション情報が前記前のシステム情報に関連付けられるときに、表示することを含む、請求項16に記載の装置。
【請求項２０】
前記ロケーション情報は警報に関連付けられた地理的エリアを示す、請求項16に記載の装置。
【請求項２１】
前記マップ関連情報は、前記システム情報内の前記ロケーション情報に関連付けられた地理的エリアを示す、請求項16に記載の装置。
【請求項２２】
前記マップ関連情報は、前記UEの地理的ロケーションを示す、請求項16に記載の装置。
【請求項２３】
前記前のシステム情報は、所定のセットのMID内の第1のMIDを含む、請求項15に記載の装置。
【請求項２４】
前記第2のシリアルナンバは、前記第1のシリアルナンバ以上である、請求項15に記載の装置。
【請求項２５】
前記システム情報はシステム情報ブロック(SIB)12内で受信される、請求項15に記載の装置。
【請求項２６】
前記システム情報は物理ダウンリンク共有チャネル(PDSCH)を介して受信される、請求項15に記載の装置。
【請求項２７】
ワイヤレス通信のための装置であって、
メモリと、
前記メモリに結合された少なくとも1つのプロセッサであって、
前のシステム情報を含む第1の警報メッセージを受信することであって、前記前のシステム情報は第1のシリアルナンバを含む、受信することと、
前記第1の警報メッセージを受信した後にシステム情報を含む第2の警報メッセージを受信することであって、前記第2の警報メッセージは第2のシリアルナンバと第2のメッセージ識別子(MID)を含み、前記第2のシリアルナンバは、前記第2の警報メッセージが前記第1の警報メッセージに関連付けられることを示す、受信することと、
前記第2のシリアルナンバに基づいて、前記第2の警報メッセージが前記第1の警報メッセージに関連付けられることを判定することと、
前記第2のMIDが、所定のセットのMID内にないと判定することと、
アプリケーションを使用可能にするとともに、前記第2の警報メッセージが前記第1の警報メッセージに関連付けられ、かつ前記第2のMIDが前記所定のセットのMID内にないと判定することに基づいて、追加情報を前記アプリケーションに提供することと
を行うように構成される少なくとも1つのプロセッサと
を備える、装置。
【請求項２８】
前記追加情報はロケーション情報を含み、前記少なくとも1つのプロセッサは、
前記ロケーション情報に関連付けられたマップ関連情報を表示する
ようにさらに構成される、請求項27に記載の装置。
【請求項２９】
前記前のシステム情報は警報メッセージコンテンツを含み、前記ロケーション情報は前記警報メッセージコンテンツに関連付けられる、請求項28に記載の装置。
【請求項３０】
前記少なくとも1つのプロセッサは、
前記MIDが前記所定のセットのMID内にないと判定することに基づいて、前記マップ関連情報を表示することを決定すること
を行うようにさらに構成される、請求項28に記載の装置。
【請求項３１】
前記マップ関連情報を表示するために、前記少なくとも1つのプロセッサは、前記前のシステム情報が受信され、かつ、前記ロケーション情報が前記前のシステム情報に関連付けられるとき、前記マップ関連情報を表示するようにさらに構成される、請求項28に記載の装置。
【請求項３２】
前記ロケーション情報は警報に関連付けられた地理的エリアを示す、請求項28に記載の装置。
【請求項３３】
前記マップ関連情報は、前記システム情報内の前記ロケーション情報に関連付けられた地理的エリアを示す、請求項28に記載の装置。
【請求項３４】
前記マップ関連情報は、前記UEの地理的ロケーションを示す、請求項28に記載の装置。
【請求項３５】
前記前のシステム情報は、所定のセットのMID内の第1のMIDを含む、請求項27に記載の装置。
【請求項３６】
前記第2のシリアルナンバは、前記第1のシリアルナンバ以上である、請求項27に記載の装置。
【請求項３７】
前記システム情報はシステム情報ブロック(SIB)12内で受信される、請求項27に記載の装置。
【請求項３８】
前記システム情報は物理ダウンリンク共有チャネル(PDSCH)を介して受信される、請求項27に記載の装置。
【請求項３９】
前のシステム情報を含む第1の警報メッセージを受信することであって、前記前のシステム情報は第1のシリアルナンバを含む、受信することと、
前記第1の警報メッセージを受信した後にシステム情報を含む第2の警報メッセージを受信することであって、前記第2の警報メッセージは第2のシリアルナンバと第2のメッセージ識別子(MID)を含み、前記第2のシリアルナンバは、前記第2の警報メッセージが前記第1の警報メッセージに関連付けられることを示す、受信することと、
前記第2のシリアルナンバに基づいて、前記第2の警報メッセージが前記第1の警報メッセージに関連付けられることを判定することと、
前記第2のMIDが、所定のセットのMID内にないと判定することと、
アプリケーションを使用可能にするとともに、前記第2の警報メッセージが前記第1の警報メッセージに関連付けられ、かつ前記第2のMIDが前記所定のセットのMID内にないと判定に基づいて、追加情報を前記アプリケーションに提供することと
を行わせるためのコードを含む、非一時的コンピュータ可読記録媒体。
【請求項４０】
前記第2のシリアルナンバは、前記第1のシリアルナンバ以上である、請求項39に記載の非一時的コンピュータ可読記録媒体。
【請求項４１】
前記追加情報はロケーション情報を含み、前記非一時的コンピュータ可読記録媒体は、
前記ロケーション情報に関連付けられたマップ関連情報を表示する
ためのコードをさらに含む、請求項39に記載の非一時的コンピュータ可読記録媒体。
【請求項４２】
前記前のシステム情報は警報メッセージコンテンツを含み、前記ロケーション情報は前記警報メッセージコンテンツに関連付けられる、請求項41に記載の非一時的コンピュータ可読記録媒体。
【請求項４３】
前記前のシステム情報は、所定のセットのMID内の第1のMIDを含む、請求項39に記載の非一時的コンピュータ可読記録媒体。
【請求項４４】
前記MIDが前記所定のセットのMID内にないと判定することに基づいて、前記マップ関連情報を表示することを決定する
ためのコードをさらに含む、請求項41に記載の非一時的コンピュータ可読記録媒体。
【請求項４５】
前記マップ関連情報を表示するためのコードが、前記前のシステム情報が受信され、かつ、前記ロケーション情報が前記前のシステム情報に関連付けられるときに、表示する
ためのコードを含む、請求項41に記載のコンピュータ可読記録媒体。
【請求項４６】
前記ロケーション情報は警報に関連付けられた地理的エリアを示す、請求項41に記載の非一時的コンピュータ可読記録媒体。
【請求項４７】
前記マップ関連情報は、前記システム情報内の前記ロケーション情報に関連付けられた地理的エリアを示す、請求項41に記載の非一時的コンピュータ可読記録媒体。
【請求項４８】
前記マップ関連情報は、前記UEの地理的ロケーションを示す、請求項41に記載の非一時的コンピュータ可読記録媒体。
【請求項４９】
前記システム情報はシステム情報ブロック(SIB)12内で受信される、請求項39に記載の非一時的コンピュータ可読記録媒体。
【請求項５０】
前記システム情報は物理ダウンリンク共有チャネル(PDSCH)を介して受信される、請求項39に記載の非一時的コンピュータ可読記録媒体。